(57)【要約】【課題】床スラブ上に逆梁を上向きに突設した逆梁構造のコンクリート躯体をもつ集合住宅において、階上に発生した床衝撃振動が階上から階下へ伝播するのを可及的に低減して遮音効果を高め、かつ床構造体の木質系のフローティングに低周波振動（船酔い振動）が発生することがないようにした。【解決手段】住宅空間の長手方向と直交する、短いスパンの逆大梁５Ｌと逆小梁６Ｌ間に、複数の大引ビーム１０をフローティング支持させ、その上に従来の硬質の木質系フローリング１２を敷設し、大引ビーム１０とフローリング１２とを含む床構造体Ｆｒの周縁と、コンクリート躯体Ｆとの間に、床下と床上との間を自由に空気の流通ができる空気流通間隙１７，１８を形成した。【選択図】　　　図１
2004052504.tif 000002
【特許請求の範囲】
【請求項１】
床スラブ（Ｓｆ）上に逆梁（５Ｌ，５Ｔ；６Ｌ，６Ｔ）を上向きに突設した、逆梁構造のコンクリート躯体（Ｆ）をもつ集合住宅における床支持構造において、
住宅空間（Ｈ）の床下空間（Ｈｄ）を画成する逆大梁（５Ｌ，５Ｔ）と、逆大梁（５Ｌ，５Ｔ）間を結合する逆小梁（６Ｌ，６Ｔ）との間には、住宅空間（Ｈ）の長手方向と直交する短いスパン間で、複数の大引ビーム（１０）を緩衝材（１５）を介してフローティング支持し、それらの大引ビーム（１０）上には、硬質の木質系フローリング（１２）を敷設し、さらに大引ビーム（１０）とフローリング（１２）とを含む床構造体（Ｆｒ）と、逆梁（５Ｌ，５Ｔ；６Ｌ，６Ｔ）を含むコンクリート躯体（Ｆ）とは接触させずに、それらの間に、床下空間（Ｈｄ）と床上空間（Ｈｕ）とを連通する空気流通間隙（１７，１８）を設けたことを特徴とする、集合住宅における床支持構造。
【請求項２】
前記コンクリート躯体（Ｆ）の躯体壁（３）の側面に積層される仕上壁（２１）の下縁には幅木（２４）を設け、この幅木（２４）には、床構造体（Ｆｒ）の床面に密着し得るリップ（２６）を設けると共に前記空気流通間隙（１７）に連通する通気孔（２７）を穿設し、この通気孔（２７）を防虫ネット（１９）により覆ってなることを特徴とする、前記請求項１記載の集合住宅における床支持構造。
【請求項３】
前記コンクリート躯体（Ｆ）の躯体壁（２）に開設した開口（３２）を縁取る額縁（３１）の敷居額縁（３１ｓ）は、床構造体（Ｆｒ）のフローリング（１２）の端縁を覆い、それらの間に緩衝材（３５）を介在すると共に前記空気流通間隙（１８）に連通する通気間隙（３４）を形成してなることを特徴とする、前記請求項１、または２記載の集合住宅における床支持構造。
【発明の詳細な説明】
【０００１】
【発明の属する技術分野】
本発明は、マンションなどの集合住宅における床支持構造に関するものである。
【０００２】
【従来の技術】
従来マンションなどの集合住宅の床仕上材としては、カーペットが主に使用されていたが、最近では、▲１▼人々の生活様式の変化、▲２▼カーペットがダニなどの害虫の発生の温床になる、▲３▼木質への本物指向などの理由から、床の仕上材は、カーペットに代わって木質系のフローリングが主流となっている。
【０００３】
ところが、前記フローリングは、カーペットに比べで遮音性能に劣るため、これまでの階上の床上で発生する衝撃振動が、階下の居住空間へと振動騒音となって伝わり、居住空間の環境悪化、品質の低下を招く原因となっており、その遮音対策が大きな課題となっている。
【０００４】
そこで、最近では、図８に示すように木質系のフローリングに多数条のスリットを入れて該フローリング自体に、可撓性、柔軟性をもたせると共に該フローリングの裏面にウレタン系の発泡体などよりなるクッション層を積層して、フローリング自体で、衝撃振動を吸収して、振動衝撃の階下への伝播を緩和するようにしたものが提案されている。
【０００５】
【発明が解決しようとする課題】
ところが、かかるクッション層付のフローリングは、それ自体が可撓性、柔軟性を保有しているため、床に作用する衝撃力を緩衝、吸収して階下に伝播する衝撃振動を減少させる効果はあるものの、そこに低周波振動が発生し、これにより、該床には、この低周波振動に起因する横揺れ、縦揺れが発生して、たとえば、その床上を人が歩行した際には、所謂「船酔い」振動に似た低周波の振動を感受して気分を悪くすることがあるという問題があり、また、前記可撓性、柔軟性のあるフローリングは高価であることから、床構造体のコスト高を招き、さらに前記フローリングは、その耐久性に劣るという別の問題もある。
【０００６】
本発明はかかる実情に鑑みてなされたもので、フローリングにかかる振動衝撃の階下への伝播を可及的に低減して遮音効果を高めると共に従来のフローリングの使用を可能にして該床の剛性を高め、該床に低周波振動による縦揺れ、横揺れが発生することがないようにした、新規な集合住宅における床支持構造を提供することを目的とするものである。
【０００７】
【課題を解決するための手段】
前記目的達成のため、請求項１記載の発明は、床スラブ上に逆梁を上向きに突設した、逆梁構造のコンクリート躯体をもつ集合住宅における床支持構造において、住宅空間の床下空間を画成する逆大梁と、逆大梁間を結合する逆小梁との間には、住宅空間の長手方向と直交する短いスパン間で、複数の大引ビームを緩衝材を介してフローティング支持し、それらの大引ビーム上には、硬質の木質系フローリングを敷設し、さらに大引ビームとフローリングとを含む床構造体と、逆梁を含むコンクリート躯体とは接触させずに、それらの間に、床下空間と床上空間とを連通する空気流通間隙を設けたことを特徴としており、かかる特徴によれば、従来の木質系の硬質（快適性を得る硬さ）のフローリングを用いることにより、床構造体自体の全体の剛性を高めて、人の歩行などによっても床構造体のフローリングが低周波振動することがなく、所謂「船酔い」振動を発生することがない。また、複数の大引ビームは、逆大梁および逆小梁上に緩衝材を介して横移動を許容できるようにフローティング支持され、しかも床構造体は、コンクリート躯体に対して釘などの固定具により固定されることがなく、さらに床構造体は、コンクリート躯体と一体の床支持部（打増部）に支持されて従来の際（きわ）根太上に支持されることがなく、さらにまた床構造体と躯体とは接触させずに、それらの間にに空気流通間隙を形成して床下空間と床上空間との間で自由な空気の流通を可能にしているので、それらの機能が相乗的に作用して、床衝撃音の階下への伝達を可及的に低減して遮音効果を高めることができる。さらにフローリングは従来のものが使用されるので、そのコスト高を招くことがないばかりでなく、その耐久性を高めることができる。
【０００８】
また、請求項２記載の発明は、前記請求項１記載の発明において、前記コンクリート躯体の躯体壁の側面に積層される仕上壁の下縁には幅木を設け、この幅木には、床構造体の床面に密着し得るリップを設けると共に前記空気流通間隙に連通する通気孔を穿設し、この通気孔を防虫ネットにより覆ってなることたことを特徴としており、かかる特徴によれば、幅木は、床上の体裁を良好にし、しかも空気流通間隙の目詰まりを防止し、また、床下空間にゴミなどの異物が落ちることがなく、さらに、床上空間に虫が侵入する心配がない。
【０００９】
さらに、請求項３記載の発明によれば、前記請求項１または２記載の発明において、前記コンクリート躯体の躯体壁に開設した開口を縁取る額縁の敷居額縁は、床構造体のフローリングの端縁を覆い、それらの間に緩衝材を介在すると共に前記空気流通間隙に連通する通気間隙を形成してなることを特徴としており、かかる特徴によれば、開口の敷居額縁により空気流通間隙を確保しつつフローリングの縁部を覆い、床の体裁を整え、さらに床下空間にゴミなどの異物が落ちることがない。
【００１０】
【発明の実施の形態】
以下、本発明の実施の形態を、添付図面に示した本発明の実施例に基づいて説明する。
【００１１】
まず、図１〜６を参照して、本発明の第１実施例について説明する。
【００１２】
この第１実施例は、本発明床支持構造を、逆梁構造のコンクリート躯体を備えた集合住宅に実施した場合であり、図１は、集合住宅の一部破断平面図、図２は、図１の２−２線に沿う断面図、図３は、図１の３−３線に沿う拡大断面図、図４は、図３の４−４線に沿う拡大断面図、図５は、図１の５−５線に沿う拡大断面図、図６は幅木の斜視図である。
【００１３】
図１，２において、集合住宅の骨格を構成する、逆梁構造のコンクリート躯体Ｆは、水平方向に延びて、建物を複数の階層に区画する水平躯体部分Ｆｈと、鉛直方向に延びて上下の水平躯体部分Ｆｈを相互に連結する鉛直躯体部分Ｆｖを備えている。
【００１４】
水平躯体部分Ｆｈにより仕切られる各階層には、複数戸の住宅空間Ｈが並設され、各住宅空間Ｈは、その四隅にそれぞれ立設されて上下の床スラブＳｆ，Ｓｆを結合する躯体柱１と、対向する躯体柱１，１間を一体に結合する、躯体外壁２および躯体隔壁（耐力壁）３により仕切られる。
【００１５】
水平躯体部分Ｆｈを構成する床スラブＳｆには、各住宅空間Ｈの床下空間Ｈｄを区画する縦、横の逆大梁５Ｌ，５Ｔが床スラブＳｆから上向きに一体に突設されており、これらの縦、横の逆大梁５Ｌ，５Ｔ上に、躯体隔壁３および躯体外壁２の下端が一体に結合され、またそれらの逆大梁５Ｌ，５Ｔは住宅空間Ｈの四隅に位置する躯体柱１に一体に結合される。
【００１６】
各住宅空間Ｈにおいて、床スラブＳｆ上には、前記逆大梁５Ｌ，５Ｔよりも低い縦、横の逆小梁６Ｌ，６Ｔが上向きに一体に突設され、これらの縦、横の逆小梁６Ｌ，６Ｔは互いに交差して、それらの端部は、横、縦の逆大梁５Ｔ，５Ｌの中間部にそれぞれ一体に連結されている。
【００１７】
図１に示すように、並列する複数戸の住宅空間Ｈの一方の躯体外壁２（図１、左側）の外側には、通路７が構築され、またそれらの他方の躯体外壁２（図１、右側）の外側には、ベランダ８が構築され、通路７およびベランダ８と略平行な横方向の逆小梁６Ｔは、ベランダ８より通路７側に若干近づけられていて、各住宅空間Ｈには、ベランダ８側に偏らせて広い面積の水回り空間を占有できるようになっている。また、図３に示すように、外気に対面する側、すなわち、通路７側およびベランダ８側の、横の逆大梁５Ｔの内面には、断熱材としての発泡ウレタン９（図３参照）が吹き付けられている。
【００１８】
各住宅空間Ｈの縦横の逆大梁５Ｌ，５Ｔと、縦横の逆小梁６Ｌ，６Ｔ間には、床構造体Ｆｒが支持され、この床構造体Ｆｒにより、住宅空間Ｈは、床下空間Ｈｄと、床上空間Ｈｕ（居住空間）とに画成される。前記床構造体Ｆｒは、通常のように複数本の大引ビーム１０と、それらの上にそれらと直交して支持される複数本の根太１１と、それらの根太１１上に敷設される木質系のフローリング１２とより一体的に構成され、該フローリング１２は、下地材上に仕上材を一体に積層して構成される。
【００１９】
図１に示すように、各住宅空間Ｈは平面長方形状に形成され、その長手方向と直交する方向、すなわち該住宅空間Ｈの幅方向において、縦の逆大梁５Ｌと縦の逆小梁６Ｌとの比較的短いスパン間に、複数本の大引ビーム１０がそれぞれ橋架支持される。図２，５に示すように、縦の逆大梁５Ｌの側部には、逆小梁６Ｌ，６Ｔと略同じレベルの打増部すなわち床支持部１４が段状に一体に成形（縦の逆大梁５Ｌの型枠による成形時に同時に一体成形）され、この床支持部１４と縦の逆小梁６Ｌの上面との間に、複数本の前記大引ビーム１０が固定具を用いずにフローティング支持される。すなわち、縦の逆大梁５Ｌの床支持部１４と、縦の逆小梁６Ｌの上には、レベル調整ボルト１３を介して緩衝材としての防振ゴム１５が設けられ、これらの防振ゴム１５上に、鋼板により断面Σ状に形成される大引ビーム１０の両端部がフローティング状態、すなわち横移動を許容するように、固定具を用いずに載置される。
【００２０】
図５に明瞭に示すように、床構造体Ｆｒの端部、すなわち大引ビーム１０およびフローリング１２の端面と、コンクリート躯体Ｆ、すなわち縦の逆大梁５Ｌおよび躯体隔壁３の側面との間には、空気流通間隙１７が形成されている。この空気流通間隙１７は、コンクリート躯体Ｆと床構造体Ｆｒとの接触を回避すると共に床下空間Ｈｄと床上空間Ｈｕとの間を空気が自由に流通できるようにするためのものである。
【００２１】
また、図５に示すように、床上空間Ｈｕにおいて、住宅空間Ｈを区画する躯体隔壁（耐力壁）３には、断熱壁１９およびスペーサ２０を介して仕上壁２１が積層される。仕上壁２１の下端と、フローリング１２との間には前記空気流通間隙１７に連通する間隙２２が形成される。仕上壁２１の下部には、帯状の幅木２４が固定される。この幅木２４は、図６に示すように、木質の幅木本体２５の下縁に、ゴム材よりなる弾性リップ２６を固定して構成されている。前記幅木本体２５は、その内側に折曲される上下縁２５ａ，２５ｂを有すると共にその背面の中間部に長手方向に延びるリブ２５ｃが一体に形成され、このリブ２５ｃに沿うように幅木本体の表面には、長手方向の取付溝２５ｄが形成される。また、幅木本体２５の下部には、その長手方向に間隔をあけて複数の通気孔２７が穿設されており、この通気孔２７は、幅木本体２５の背面に接合される防虫ネット２９により覆われており、この防虫ネット２９は、虫がこの通気孔２７を通って床下空間Ｈｄから床上空間Ｈｕへ侵入するのを防止するようにしている。
【００２２】
前記幅木２４は、図５に示すように、仕上壁２１の下部表面に、取付溝２５ｄを通して複数の釘２８により固定され、前記弾性リップ２６は、フローリング１２の上面に撓曲して密着され、床上空間Ｈｕの体裁を整えると共にフローリング１２上のごみなどの異物が床下空間Ｈｄへ落ちるのを防止している。そして床上空間Ｈｕ（居住空間）と床下空間Ｈｄとの間は、前記空気流通間隙１７、間隙２２および幅木２４に穿設した複数の通気孔２７を通して空気の流通が自由に行なわれ、これにより、床構造体Ｆｒにかかる衝撃により、それが変形して床上空間Ｈｕと床下空間Ｈｄとの間で容積変化が生じたときに、それら間での空気の自由な流通を保障して、衝撃音を緩和し、遮音効果に寄与し得る。そして、前記通気孔２７は、空気流通路の目詰まりを防止すると共に空気がフローリング１２上を均等に流れるようにしており、さらに虫がこの通気孔２７を通って床下空間Ｈｄから床上空間Ｈｕへ侵入するのを防止するようにしている。
【００２３】
また、図３に示すように、横の逆大梁５Ｔおよび該逆大梁５Ｔ上を延びる躯体外壁２と、床構造体Ｆｒとの間にも床下空間Ｈｄと床上空間Ｈｕとを自由に空気が流通できるようにした、空気流通間隙１８が形成される。ベランダ８側の躯体外壁２には、横の逆大梁５Ｔ上の防水モルタル３０および額縁３１により縁取りされる開口３２が開設され、防水モルタル３０の内周縁には、開閉ドアの嵌着されるサッシュ３３が固定される。大引ビーム１０、根太１１およびフローリング１２の端縁と、横の逆大梁５Ｔおよび躯体外壁２との間に、前記空気流通間隙１８が形成され、また、前記額縁３１の下縁の敷居額縁３１ｓは、フローリング１２の端縁の上方まで延びており、図４に示すように、該敷居額縁３１ｓと、フローリング１２の端縁間には、通気間隙３４が形成され、それらの間には、複数の緩衝材としての防振ゴム３５が間隔をおいて介在されている。したがって、床下空間Ｈｄと床上空間Ｈｕとは、前記空気流通間隙１８および通気間隙３４を通して空気の自由な流通を可能にしている。また、前記敷居額縁３１ｓは、フローリング１２の端縁を覆い、フローリング１２の床面の体裁を整えると共に床上のゴミ等の異物が、床下空間Ｈｄに落ちないようにしている。
【００２４】
つぎに、この第１実施例の作用について説明すると、この実施例は前記構成により、
▲１▼住宅空間Ｈの床下空間Ｈｄは、床スラブＳｆ上を上向きに突設される縦横の逆大梁５Ｌ，５Ｔにより囲まれ、さらに床スラブＳｆ上を交差状に上向きに突設される縦横の逆小梁６Ｌ，６Ｔが突設され、縦の逆大梁５Ｌと縦の逆小梁５Ｌ間の短いスパン間に、床構造体Ｆｒの複数の大引ビーム１０が支持され、しかもそれらの大引ビーム１０上に、従来の木質系の硬質（快適性を得る硬さ）のフローリング１２が支持されるので、床構造体Ｆｒ自体の全体の剛性を高めて、人の歩行などによっても床構造体Ｆｒのフローリング１２が低周波振動することがなく、所謂「船酔い」振動を発生することがない。
【００２５】
▲２▼前記複数の大引ビーム１０は、縦の逆大梁５Ｌおよび縦の逆小梁６Ｌ上に、レベル調整ボルト１３により緩衝材１５を介して横移動を許容できるようにフローティング支持され、しかも床構造体Ｆｒは、コンクリート躯体Ｆに対して釘などの固定具により固定されることがなく、さらに床構造体Ｆｒは、コンクリート躯体Ｆに一体に成形した床支持部（打増部）１４に支持されて従来の際（きわ）根太上に支持されることがなく、さらに床構造体Ｆｒと躯体Ｆとは、接触させずに、それらの間に空気流通間隙１７，１８を形成して床下空間Ｈｄと床上空間Ｈｕとの間で自由な空気の流通を可能にしているので、それらの機能が相乗的に作用して、床衝撃音の階下への伝達を可及的に低減することができる。
【００２６】
▲３▼フローリング１２は従来のものが使用されるので、そのコスト高を招くことがないばかりでなく、その耐久性を高めることができる。
【００２７】
つぎに、図７を参照して本発明の第２実施例について説明するに、図７は、床スラブＳｆの中間部に設けた区画壁に対する床構造体Ｆｒの支持部の断面図であり、前記第１実施例と同じ要素には同じ符号が付される。
【００２８】
この第２実施例では、居住空間を２つの部屋に仕切るために、上下階の床スラブＳｆ間に区画壁４０を一体に成形（型枠によるコンクリート躯体の成形時に同時に成形）した場合であり、前記区画壁４０の下部両側には、床スラブＳｆと一体の打増部４１，４１が一体成形され、これらの打増部４１，４１は、前記第１実施例の床支持部１４に相当する。前記打増部４１，４１上には、床構造体Ｆｒの大引ビーム１０の一端が緩衝材１５を介してフローティング支持され、この床構造体Ｆｒの端縁、すなわち大引ビーム１０およびフローリング１２の端縁と、打増部４１，４１を有する区画壁４０の側面との間に、空気流通間隙１７が形成され、この空気流通間隙１７を通して床下空間Ｈｄと床上空間Ｈｕとの間で自由な空気の流通を許容している。区画壁４０の側面にスペーサ２０を介して積層される仕上壁２１の下端には、前記第１実施例の幅木２４が固定され、この幅木２４に穿設した複数の通気孔２７は、前記空気流通間隙１７と床上空間Ｈｕとを連通する。
【００２９】
しかして、この第２実施例のものも前記第１実施例のものと同じ作用効果を奏する。
【００３０】
以上、本発明の実施例について説明したが、本発明はその実施例に限定されることなく、本発明の範囲内で種々の実施例が可能である。
【００３１】
【発明の効果】
以上のように、本請求項１記載の発明によれば、逆梁間の短いスパン間に支持される大引ビーム上に従来の木質系の硬質（快適性を得る硬さ）のフローリングを敷設することにより、床構造体自体の全体の剛性を高めて、人の歩行などによっても床構造体のフローリングが低周波振動することがなく、所謂「船酔い」振動を発生することがない。また、複数の大引ビームは、逆大梁および逆小梁上に緩衝材を介して横移動を許容できるようにフローティング支持され、しかも床構造体は、コンクリート躯体に対して釘などの固定具により固定されることがなく、しかもコンクリート躯体と一体の床支持部（打増部）に支持されて従来の際根太上に支持されることがなく、さらに床構造体と躯体とは接触させずに、それらの間に空気流通間隙を形成して床下空間と床上空間との間で自由な空気の流通を可能にしているので、それらの機能が相乗的に作用して、床衝撃振動の階下への伝達を可及的に低減して遮音効果を高めることができる。さらにフローリングは従来のものが使用されるので、そのコスト高を招くことがないばかりでなく、その耐久性を高めることができる。
【００３２】
また、請求項２記載の発明によれば、幅木は、床上の体裁を良好にし、しかも床空気流通間隙の目詰まりを防止し、さらに、床下空間にゴミなどの異物が落ちることがなく、また、床下空間にゴミなどの異物が落ちることがなく、さらに、床上空間に虫が侵入する心配がない。
【００３３】
さらに、請求項３記載の発明によれば、開口の敷居額縁により空気流通間隙を確保しつつフローリングの縁部を覆い、床の体裁を整え、さらに床下空間にゴミなどの異物が落ちることがない。
【図面の簡単な説明】
【図１】集合住宅の一部破断平面図（第１実施例）
【図２】図１の２−２線に沿う断面図
【図３】図１の３−３線に沿う拡大断面図
【図４】図３の４−４線に沿う拡大断面図
【図５】図１の５−５線に沿う拡大断面図
【図６】幅木の斜視図
【図７】床スラブの中間部に設けた区画壁に対する床構造体の支持部の断面図（第２実施例）
【図８】従来のフローリングの斜視図
【符号の説明】
２・・・・・・・・・・・躯体壁（躯体外壁）
３・・・・・・・・・・・躯体壁（躯体内壁）
５Ｌ・・・・・・・・・・逆大梁（縦）
５Ｔ・・・・・・・・・・逆大梁（横）
６Ｌ・・・・・・・・・・逆小梁（縦）
６Ｔ・・・・・・・・・・逆小梁（横）
１０・・・・・・・・・・大引ビーム
１２・・・・・・・・・・フローリング
１５・・・・・・・・・・緩衝材（防振ゴム）
１７・・・・・・・・・・空気流通間隙
１８・・・・・・・・・・空気流通間隙
２１・・・・・・・・・・仕上壁
２４・・・・・・・・・・幅木
２６・・・・・・・・・・弾性リップ
２７・・・・・・・・・・通気孔
２９・・・・・・・・・・防虫ネット
３１・・・・・・・・・・額縁
３１ｓ・・・・・・・・・額縁敷居
３４・・・・・・・・・・通気間隙
３５・・・・・・・・・・緩衝材（防振ゴム）
Ｆ・・・・・・・・・・・コンクリート躯体
Ｆｒ・・・・・・・・・・床構造体
Ｈ・・・・・・・・・・・住宅空間
Ｈｕ・・・・・・・・・・床上空間
Ｈｄ・・・・・・・・・・床下空間
Ｓｆ・・・・・・・・・・床スラブ
【図１】
2004052504.tif 000003
【図２】
2004052504.tif 000004
【図３】
2004052504.tif 000005
【図４】
2004052504.tif 000006
【図５】
2004052504.tif 000007
【図６】
2004052504.tif 000008
【図７】
2004052504.tif 000009
【図８】
2004052504.tif 000010